(57)【要約】  【課題】リセットスイッチを設けずに、少ない部品点数でもって、情報処理装置の暴走に対処する。  【解決手段】電源を情報処理装置に対して供給する場合に一の状態を継続するスイッチを有し、スイッチが一の状態とされると、電源が情報処理装置に供給されると共に、情報処理装置の第１のポートが予め設定された所定の論理レベルとされ、第１のポートが所定の論理レベルとされたことを情報処理装置が検出して第２のポートを予め設定された所定の論理レベルとする。スイッチが一の状態から他の状態となると、第１のポートが所定の論理レベルと異なる論理レベルとされ、情報処理装置が第１のポートの論理レベルの変化を検出して終了処理を行い、終了処理の後に第２のポートを所定の論理レベルと異なる論理レベルとして、電源供給がオフとされる。【選択図】図４
2013080438.tif 000002
【特許請求の範囲】
【請求項１】
第１および第２のポートを有する情報処理装置と、
前記情報処理装置に対する電源と、
前記情報処理装置に対する前記電源の供給を制御するスイッチ部と、
前記電源を前記情報処理装置に対して供給する場合に一の状態を継続するスイッチと、
前記スイッチが一の状態とされると、前記スイッチ部を介して前記電源が前記情報処理装置に供給されると共に、前記第１のポートが予め設定された所定の論理レベルとされ、
前記第１のポートが前記所定の論理レベルとされたことを前記情報処理装置が検出して前記第２のポートを予め設定された所定の論理レベルとする電源供給制御装置。
【請求項２】
前記スイッチが一の状態から他の状態となると、前記第１のポートが前記所定の論理レベルと異なる論理レベルとされ、
前記情報処理装置が前記第１のポートの論理レベルの変化を検出して終了処理を行い、
前記終了処理の後に前記第２のポートを前記所定の論理レベルと異なる論理レベルとして、前記電源供給がオフとされる請求項１に記載の電源供給制御装置。
【請求項３】
前記スイッチが一の状態から他の状態となると、前記第１のポートが前記所定の論理レベルと異なる論理レベルとされた場合に、前記情報処理装置が暴走状態では、
前記第２のポートが前記所定の論理レベルと異なる論理レベルとならないことを検出し、
該検出によって、前記電源供給をオフする請求項２に記載の電源供給制御装置。
【請求項４】
前記検出は、所定時間以上、前記第２のポートが前記所定の論理レベルと異なる論理レベルとならないことを検出するものである請求項３に記載の電源供給制御装置。
【請求項５】
前記電源が電池であり、前記スイッチ部が前記電池の出力電圧を一定にすると共に、制御入力によって、出力をオン、オフする安定化回路である請求項１に記載の電源供給制御装置。
【請求項６】
情報処理装置と、前記情報処理装置に対する電源を発生する電池と、前記情報処理装置に対する電源供給を制御する電源供給制御用のスイッチ部と、使用状態では、一の状態を継続し、不使用状態では、他の状態を継続するスイッチとを有し、
前記スイッチが前記一の状態とされると、前記スイッチ部を介して前記電源が前記情報処理装置に供給されると共に、前記情報処理装置の第１のポートが予め設定された所定の論理レベルとされ、
前記第１のポートが前記所定の論理レベルとされたことを検出して前記情報処理装置が第２のポートを予め設定された所定の論理レベルとするヘッドホン。
【請求項７】
前記スイッチが一の状態から他の状態となると、前記第１のポートが前記所定の論理レベルと異なる論理レベルとされ、
前記情報処理装置が前記第１のポートの論理レベルの変化を検出して終了処理を行い、
前記終了処理の後に前記第２のポートを前記所定の論理レベルと異なる論理レベルとして、前記電源供給がオフとされる請求項６に記載のヘッドホン。
【請求項８】
前記スイッチが一の状態から他の状態となると、前記第１のポートが前記所定の論理レベルと異なる論理レベルとされた場合に、前記情報処理装置が暴走状態では、
前記第２のポートが前記所定の論理レベルと異なる論理レベルとならないことを検出し、
該検出によって、前記電源供給をオフする請求項７に記載のヘッドホン。
【発明の詳細な説明】
【技術分野】
【０００１】
本開示は、情報処理装置例えばマイクロコンピュータに対する電源の供給を制御するのに適用される電源供給制御装置および電源供給制御装置が搭載されたヘッドホンに関する。
【背景技術】
【０００２】
電子機器では、搭載しているコンピュータの操作ができなくなること、所謂暴走が発生することがある。暴走を止めるためには、リセットキーを押したり、電池を取り外してコンピュータをリセットし、正常状態に戻している。しかしながら、この方法は、リセットキーを別個に設ける必要があり、電池を取り外すことができることが必要とされる。リセットキーを設けることは、構成を複雑とし、製品のコストを高くする問題がある。さらに、ユーザが電池を取り外せない構成の電子機器には、電池を取り外す方法を適用できない問題がある。
【０００３】
例えば特許文献１には、マイクロコンピュータが暴走中であるか否かを示す信号を出力するポートを有し、このポートの出力からＮＯＲゲートによってマイクロコンピュータの暴走を検出し、リセットＩＣを駆動することが記載されている。
【先行技術文献】
【特許文献】
【０００４】
【特許文献１】特開２００３−３１６４７７号公報
【発明の概要】
【発明が解決しようとする課題】
【０００５】
特許文献１では、マイクロコンピュータの暴走を検出するために、ＮＯＲゲートを設け、さらに、マイクロコンピュータのリセット用のポートにリセット信号を供給するためのリセットＩＣを設けている。したがって、リセットのために付加する部品数が比較的多く、コストの上昇を生じさせる問題があった。さらに、切りキーが設けられているが、切りキーによって電源供給のオン、オフをどのように制御するかの記載がなく、電源供給の制御とリセットとが別個の構成とされており、部品点数の増大を招くおそれがある。
【０００６】
したがって、本開示は、付加する構成の部品数が少なくてすみ、コストの上昇を抑えることが可能な電源供給制御装置およびヘッドホンの提供を目的とする。
【課題を解決するための手段】
【０００７】
上述の課題を解決するために、本開示は、第１および第２のポートを有する情報処理装置と、
情報処理装置に対する電源と、
情報処理装置に対する電源の供給を制御するスイッチ部と、
電源を情報処理装置に対して供給する場合に一の状態を継続するスイッチと、
スイッチが一の状態とされると、スイッチ部を介して電源が情報処理装置に供給されると共に、第１のポートが予め設定された所定の論理レベルとされ、
第１のポートが所定の論理レベルとされたことを情報処理装置が検出して第２のポートを予め設定された所定の論理レベルとする電源供給制御装置である。
【０００８】
本開示は、情報処理装置と、情報処理装置に対する電源を発生する電池と、情報処理装置に対する電源供給を制御する電源供給制御用のスイッチ部と、使用状態では、一の状態を継続し、不使用状態では、他の状態を継続するスイッチとを有し、
スイッチが一の状態とされると、スイッチ部を介して電源が情報処理装置に供給されると共に、情報処理装置の第１のポートが予め設定された所定の論理レベルとされ、
第１のポートが所定の論理レベルとされたことを検出して情報処理装置が第２のポートを予め設定された所定の論理レベルとするヘッドホンである。
【発明の効果】
【０００９】
本開示は、スイッチによって電源供給をオフとする場合に、情報処理装置が暴走によって正常に終了しないことをポートの出力を利用して検出し、電源供給をオフする。したがって、電源スイッチと別にリセットスイッチを設ける必要がなく、部品点数の増大を抑えることができる。
【図面の簡単な説明】
【００１０】
【図１】本開示による電源供給制御装置の第１の実施の形態のブロック図である。
【図２】本開示を適用できるヘッドホンの外観を示す斜視図である。
【図３】本開示による電源供給制御装置の第２の実施の形態のブロック図である。
【図４】第２の実施の形態の具体的構成を示す接続図である。
【図５】第２の実施の形態の動作説明に用いるフローチャートである。
【図６】第２の実施の形態の動作説明に用いるフローチャートである。
【発明を実施するための形態】
【００１１】
以下に説明する実施の形態は、本開示の好適な具体例であり、技術的に好ましい種々の限定が付されているが、本開示の範囲は、以下の説明において、特に限定する旨の記載がない限り、これらの実施の形態に限定されないものとする。
【００１２】
「電源供給制御装置の第１の実施の形態」
本開示の第１の実施の形態について図１を参照して説明する。情報処理装置例えばマイクロコンピュータ１に対して電池２の電圧が電源として供給される。マイクロコンピュータ以外に、ＤＳＰ(Digital Signal Processor)等に対しても本開示を適用することができる。電池２は、例えばリチウムイオン二次電池であり、電子機器に組み込まれており、ユーザ自身が容易に取り外しできないものである。マイクロコンピュータ１と電池２との間に、電源供給のオン／オフを制御するためのスイッチ部３が挿入されている。
【００１３】
電源を供給する期間では、一の状態例えばオン状態を継続するスイッチ４が設けられている。電池２の負極と接地との間にスイッチ４が挿入されている。スイッチ４のオン／オフの状態に対応する信号が制御信号生成部５に供給される。スイッチ４のオン／オフとマイクロコンピュータ１のポートの状態に応じて制御信号生成部５がスイッチ部３を制御する制御信号を発生する。
【００１４】
マイクロコンピュータ１は、第１のポートＰ１および第２のポートＰ２を有する。ポートＰ１は、制御信号生成部５からの信号が入力されるポートであり、ポートＰ２は、制御信号生成部５に対する信号を発生する出力ポートである。
【００１５】
スイッチ４がオンとされると、制御信号生成部５が発生する制御信号によってスイッチ部３がオンとされ、電池２からマイクロコンピュータ１に対して電源が供給され、マイクロコンピュータ１が起動処理を行う。同時に、制御信号生成部５がポートＰ１に対してローレベルの信号を出力し、マイクロコンピュータ１がポートＰ１がローレベルとなったことを検出してポートＰ２をハイレベルとする。
【００１６】
次に、スイッチ４がオンからオフに切り替わると、制御信号生成部５がポートＰ１に対してハイレベルの信号を出力する。ポートＰ１がハイレベルとなると、マイクロコンピュータ１が終了処理を行ってからポートＰ２をローレベルとする。ポートＰ２がローレベルとなったことを制御信号生成部５が検出して、スイッチ部３をオフとする制御信号を発生する。この制御信号によって、マイクロコンピュータ１に対する電源供給が断たれる。このような正常終了の場合、マイクロコンピュータ１の終了処理に要する時間は、１秒以下の短時間である。
【００１７】
スイッチ４がオンからオフとされる終了処理の場合、マイクロコンピュータ１の暴走によって、終了処理が正常に実行されず、ポートＰ２がハイレベルからローレベルに直ぐに変化しないでハイレベルのままとなる。制御信号生成部５は、ポートＰ２が所定時間以上、ローレベルに変化しない場合、スイッチ部３をオフとする制御信号を発生する。スイッチ部３のオフによって、マイクロコンピュータ１に対する電源供給が断たれる。ある程度の時間の後で、スイッチ４をオンとしてマイクロコンピュータ１に対して電源を供給すれば、マイクロコンピュータ１が正常動作に復帰する。
【００１８】
上述したように、本開示の第１の実施の形態では、マイクロコンピュータ１の暴走によって、レベル変化が直ぐに生じないことを利用して電源供給をオフする制御信号を形成する。したがって、リセット用スイッチを設ける必要がない。さらに、暴走の検出のための回路およびリセットＩＣ等を設けるのと比較して追加する回路素子数を少なくできる利点がある。
【００１９】
「電源供給制御装置の第２の実施の形態」
第２の実施の形態は、図２に示すようなヘッドホン１００の電源供給制御装置に対して本開示を適用したものである。ヘッドホン１００は、デジタルサラウンドヘッドホン、ワイヤレスデジタルサラウンドヘッドホン、ノイズキャンセリングヘッドフォン等である。これらのヘッドホンは、信号処理が比較的複雑となるために、マイクロコンピュータ等の情報処理装置を内蔵している。
【００２０】
ヘッドホン１００は、２つのハウジング１０１Ｌ，１０１Ｒがヘッドバンド１０２によって連結されている。ヘッドバンド１０２の内側に装着時にヘッドホンを支持するためのサスペンダ１０３が設けられている。ヘッドバンド１０２およびサスペンダ１０３は、ユーザの頭部に沿うように湾曲状に形成されており、ヘッドホン装着状態においてユーザの頭頂部にサスペンダ１０３が接することによりヘッドホン１００全体を支持するものである。ハウジング１０１Ｌ，１０１Ｒに対してイヤパッド１０４Ｌ，１０４Ｒが取り付けられている。イヤパッド１０４Ｌ，１０４Ｒは、ウレタンなどの柔軟性を有する素材とそれを被覆する合成皮革などにより高い気密性および柔軟性を有する。
【００２１】
ハウジング１０１Ｌ，１０１Ｒには、それぞれヘッドホンユニットおよび信号処理部が収納されている。信号処理部には、マイクロコンピュータ、ＤＳＰ等の情報処理装置が含まれ、デジタルサラウンド処理、ノイズキャンセリング処理、ワイヤレス通信の処理等を情報処理装置が制御する。さらに、ハウジング１０１Ｌ，１０１Ｒ内に電源としてのリチウムイオン二次電池が格納されている。リチウムイオン二次電池は、外部からＡＣアダプタによって充電可能であるが、ユーザが交換のために取り外すことができないように収納されている。
【００２２】
さらに、ハウジング１０１Ｌ，１０１Ｒの側面に、音量調整つまみ、切り替えスイッチ、電池残量表示等のためのＬＥＤ(Light Emitting Diode)等が設けられる。ヘッドホンに対しては、ケーブルまたはワイヤレスで、プロセッサまたはトランスミッタからの信号が供給される。かかるヘッドホンにおいて、頭部に装着した場合に、自動的に電源がオンとなるように、サスペンダ１０３の動きと連動するスイッチ（以下、切りキーと称する）が設けられている。
【００２３】
図３は、第２の実施の形態のブロック図を示し、図４は、第２の実施の形態のより具体的接続を示す接続図である。図３および図４において、２０がサスペンダ１０３の動きと連動する切りキーである。
【００２４】
マイクロコンピュータ１０には、電源ＩＣ(Integrated Circuit)６０から所定の直流電圧例えば３．３Ｖの直流電圧が電源として供給される。電源ＩＣ６０は、リチウムイオン二次電池からなる電源７０の出力電圧を安定化するレギュレータである。例えば電池の電圧が３．７Ｖ〜４．２Ｖの範囲の場合に、電池が使用可能とされる。電源ＩＣ６０によって生成された電圧がマイクロコンピュータ１０に電源として供給される。
【００２５】
マイクロコンピュータ１０は、ヘッドホンにとって必要とされる信号処理例えばデジタルサラウンド信号の生成処理、レベル調整処理、ノイズキャンセリング処理、ワイヤレス通信処理等を行う。マイクロコンピュータ１０がポートＰ１１およびポートＰ１２を有する。ポートＰ１１に対してキー検出回路５０の出力信号が供給される。
【００２６】
切りキー２０がスイッチング回路４０およびキー検出回路５０に接続されている。例えばヘッドホン１００を装着すると、切りキー２０がオフからオンし、スイッチング回路４０は、電源ＩＣ６０のポートＰ１３をハイレベルとする。これによって、電源ＩＣ６０からマイクロコンピュータ１０に対して電源の供給が開始される。これと共に、切りキー２０がオンすると、キー検出回路５０からポートＰ１１に対してローレベルの信号が供給される。マイクロコンピュータ１０がポートＰ１１がローレベルが入力されたことを検出して、ポートＰ１２がハイレベルを出力する。
【００２７】
ヘッドホン１００が頭部から取り外されると、切りキー２０がオンからオフとなる。キー検出回路５０からポートＰ１１に対してハイレベルの出力が供給される。マイクロコンピュータ１０は、ポートＰ１１がハイレベルとされると、終了処理を行った後に、ポートＰ１２をハイレベルからローレベルとする。スイッチング回路４０は、ポートＰ１２がハイレベルからローレベルになると、電源ＩＣ６０のポートＰ１３をハイレベルからローレベルとし、電源ＩＣ６０からマイクロコンピュータ１０に対する電源供給をオフする。
【００２８】
若し、マイクロコンピュータ１０が暴走すると、切りキー２０がオフとなった時に、キー検出回路５０からポートＰ１１に対してハイレベルの出力が供給されても、マイクロコンピュータ１０がポートＰ１１がローレベルからハイレベルとなったことを検出することができない。したがって、ポートＰ１２をローレベルとすることができない。このため、スイッチング回路４０は、電源ＩＣ６０からマイクロコンピュータ１０に対する電源の供給をオフする制御信号を発生することができない。
【００２９】
暴走の対策のために、電源制御回路３０が設けられている。電源制御回路０は、電源ＩＣ６０からマイクロコンピュータ１０に対する電源供給がオフされないことを検出してポートＰ１３をハイレベルからローレベルに切り替える。それによって、マイクロコンピュータ１０に対する電源供給がオフとされる。
【００３０】
上述した第２の実施の形態は、切りキー２０がオフとされた時に、マイクロコンピュータ１０が暴走していれば、電源制御回路３０がマイクロコンピュータ１０に対する電源供給をオフとする。したがって、マイクロコンピュータ１０が切りキーの状態を直接判定する構成のように、切りキーがオフされたことをマイクロコンピュータが判定することができず、電源をオフとすることができないといった不都合を回避することができる。しかも、切りキー２０が暴走時の電源制御用キーを兼ねているので、リセット専用のキーを別途設ける必要がなく、キーの増加による部品点数の増加、コストの上昇を生じない利点がある。
【００３１】
図４は、本開示の第２の実施の形態の具体的接続の一例である。さらに、第２の実施の形態の動作開始処理の流れが図５のフローチャートに示され、動作終了処理の流れが図６のフローチャートに示されている。さらに、各動作における信号レベルを表１に示す。
【００３２】
【表１】
2013080438.tif 000003
【００３３】
図４に示すように、キー検出回路５０が逆流防止用ダイオード５１、抵抗５２および小容量のコンデンサ５３によって構成される。抵抗５２およびコンデンサ５３の接続点がダイオード５１（順方向）およびオン状態の切りキー２０を介して接地される。さらに、この接続点がマイクロコンピュータ１０のポートＰ１１と接続される。したがって、動作開始処理時に切りキー２０がオンとされると、ポートＰ１１がローレベルとなり、動作終了時に切りキー２０がオフされると、ポートＰ１１がハイレベルとなる。
【００３４】
スイッチング回路４０は、電源７０とエミッタが接続されるＰＮＰ型トランジスタ４１を有する。電源７０と接地間に抵抗４２、４３および切りキー２０の直列回路が挿入され、トランジスタ４２および４３の接続点がトランジスタ４１のベースと接続される。トランジスタ４１のコレクタが抵抗４４および４５を介して接地される。トランジスタ４１のコレクタおよび抵抗４４の接続点４７が逆流防止用ダイオード１３を介してマイクロコンピュータ１０のポートＰ１２に接続される。抵抗４４および抵抗４５の接続点４６が電源ＩＣ６０のポートＰ１３に接続される。
【００３５】
電源制御回路３０は、電源ＩＣ６０のポートＰ１３とそのドレインが接続され、ソースが接地されたＭＯＳＦＥＴ３１を有する。ＭＯＳＦＥＴ以外のスイッチング素子を使用しても良い。電源ＩＣ６０からマイクロコンピュータ１０に対する電源供給路と接地間に抵抗３３およびコンデンサ３４の直列回路が挿入される。抵抗３３およびコンデンサ３４の時定数によって、暴走時の電源がオフされるまでの時間が決定される。
【００３６】
抵抗３３とコンデンサ３４の接続点がＭＯＳＦＥＴ３１のゲートと接続される。さらに、ＭＯＳＦＥＴ３１のゲートと接地間に、逆流防止用ダイオード３２および切りキー２０の直列回路が挿入される。電源ＩＣ６０からマイクロコンピュータ１０に対する電源供給路とポートＰ１１との間に抵抗５２が挿入される。
【００３７】
なお、電源供給がオン状態では、切りキー２０がオンしているので、ダイオード３２および切りキー２０を通じて電流が流れ、コンデンサ３４が充電されない。この場合、抵抗３３の値が大きいので、流れる電流値は、極めて小さな値である。さらに、切りキー２０をオフする正常終了処理時には、電源ＩＣ６０からマイクロコンピュータ１０に対して電源供給がなされる期間は、マイクロコンピュータ１０の終了処理のための短時間であるため、コンデンサ３４が充電されても、その端子電圧は、ＭＯＳＦＥＴ３１をオンするまでの値に到達しない。
【００３８】
「動作開始処理」
図５のフローチャートを参照して動作開始処理について説明する。ステップＳ１において、ヘッドホン１００を頭部に装着すると、切りキー２０がオンする。したがって、ポートＰ１１がローレベルとなる。ステップＳ２に示すように、同時にトランジスタ４１がオンする。電源７０および接地間に電流が流れ、接続点４６および４７が電圧が発生する。したがって、ステップＳ３で示すように、ポートＰ１３がハイレベルとなり、電源ＩＣ６０がオンし、ステップＳ４で示すように、電源ＩＣ６０からマイクロコンピュータ１０に対する電源供給がオンとなる。
【００３９】
マイクロコンピュータ１０がステップＳ５において、ポートＰ１１がローレベルか否かを判定する。切りキー２０をオンすることによって、ポートＰ１１がローレベルとなるので（ステップＳ１）、ステップＳ５の判定結果が肯定となり、ステップＳ６において、マイクロコンピュータ１０がポートＰ１２をハイレベルとする。そして、動作開始処理が終了する。なお、動作開始処理では、ダイオード３２および切りキー２０のバイパス経路によって、ＭＯＳＦＥＴ３１がオフ状態とされる。
【００４０】
「動作終了処理」
図６のフローチャートを参照して動作開始処理について説明する。ステップＳ１１は、動作開始処理後の状態（動作状態）を示している。すなわち、切りキー２０がオンし、ポートＰ１１がローレベルであり、トランジスタ４１がオンであり、ポートＰ１３がハイレベルであり、電源ＩＣ６０がオンし、マイクロコンピュータ１０に対する電源供給がオンしている。
【００４１】
ステップＳ１２において、ヘッドホンを頭部から外すと、切りキー２０がオフし、ポートＰ１１がハイレベルとなる。切りキー２０のオフによってトランジスタ４１がオフする（ステップＳ１３）。
【００４２】
マイクロコンピュータ１０が暴走していない場合には、ステップＳ１４において、マイクロコンピュータ１０がポートＰ１１がハイレベルか否かが検出される。切りキー２０がオフされると、ステップＳ１２において、ポートＰ１１がハイレベルとなるので、ステップＳ１４の判定結果が肯定となる。
【００４３】
マイクロコンピュータ１０は、ポートＰ１１がハイレベルであることを検出すると、ステップＳ１５において、ポートＰ１２をハイレベルからローレベルとする。そして、ステップＳ１６において、電源ＩＣ６０のポートＰ１３がローレベルとなり、ステップＳ１７において、マイクロコンピュータ１０に対する電源供給がオフとなる。
【００４４】
マイクロコンピュータ１０が暴走状態であると、ステップＳ１４の処理（ポートＰ１１がハイレベルか否かの検出処理）を行うことができない。その結果、ポートＰ１２をローレベルとするステップＳ１２の処理を行うことができず、ポートＰ１２がハイレベルのままとなる。
【００４５】
電源ＩＣ６０がマイクロコンピュータ１０に対して電源供給をオンしているので、抵抗３３を通じてコンデンサ３４が充電され、抵抗３３およびコンデンサ３４の接続点の電圧が徐々に上昇する。この電圧が所定の値となると、ＭＯＳＦＥＴ３１がオンする（ステップＳ１８）。したがって、ステップＳ１６で示すように、ポートＰ１３がローレベルとなり、電源ＩＣ６０からマイクロコンピュータ１０に対する電源供給がオフされる。このように、マイクロコンピュータ１０が暴走する場合も、電源供給をオフすることができる。
【００４６】
第２の実施の形態においては、マイクロコンピュータ１０の暴走の対策として、電源制御回路３０（ＭＯＳＦＥＴ３１、ダイオード３２、抵抗３３、コンデンサ３４）を新たに付加する必要がある。しかしながら、リセット用のスイッチを設ける必要がなく、例えばヘッドホンのハウジングを簡略なものとでき、電源ＩＣ６０のポートが増加せず、部品点数の増大を防止でき、コスト的に有利である。
【００４７】
なお、本開示は、以下のような構成も取ることができる。
（１）
第１および第２のポートを有する情報処理装置と、
前記情報処理装置に対する電源と、
前記情報処理装置に対する前記電源の供給を制御するスイッチ部と、
前記電源を前記情報処理装置に対して供給する場合に一の状態を継続するスイッチと、
前記スイッチが一の状態とされると、前記スイッチ部を介して前記電源が前記情報処理装置に供給されると共に、前記第１のポートが予め設定された所定の論理レベルとされ、
前記第１のポートが前記所定の論理レベルとされたことを前記情報処理装置が検出して前記第２のポートを予め設定された所定の論理レベルとする電源供給制御装置。
（２）
前記スイッチが一の状態から他の状態となると、前記第１のポートが前記所定の論理レベルと異なる論理レベルとされ、
前記情報処理装置が前記第１のポートの論理レベルの変化を検出して終了処理を行い、
前記終了処理の後に前記第２のポートを前記所定の論理レベルと異なる論理レベルとして、前記電源供給がオフとされる（１）に記載の電源供給制御装置。
（３）
前記スイッチが一の状態から他の状態となると、前記第１のポートが前記所定の論理レベルと異なる論理レベルとされた場合に、前記情報処理装置が暴走状態では、
前記第２のポートが前記所定の論理レベルと異なる論理レベルとならないことを検出し、
該検出によって、前記電源供給をオフする（２）に記載の電源供給制御装置。
（４）
前記検出は、所定時間以上、前記第２のポートが前記所定の論理レベルと異なる論理レベルとならないことを検出するものである（３）に記載の電源供給制御装置。
（５）
前記電源が電池であり、前記スイッチ部が前記電池の出力電圧を一定にすると共に、制御入力によって、出力をオン、オフする安定化回路である（１）乃至（４）の何れかに記載の電源供給制御装置。
（６）
情報処理装置と、前記情報処理装置に対する電源を発生する電池と、前記情報処理装置に対する電源供給を制御する電源供給制御用のスイッチ部と、使用状態では、一の状態を継続し、不使用状態では、他の状態を継続するスイッチとを有し、
前記スイッチが前記一の状態とされると、前記スイッチ部を介して前記電源が前記情報処理装置に供給されると共に、前記情報処理装置の第１のポートが予め設定された所定の論理レベルとされ、
前記第１のポートが前記所定の論理レベルとされたことを検出して前記情報処理装置が第２のポートを予め設定された所定の論理レベルとするヘッドホン。
（７）
前記スイッチが一の状態から他の状態となると、前記第１のポートが前記所定の論理レベルと異なる論理レベルとされ、
前記情報処理装置が前記第１のポートの論理レベルの変化を検出して終了処理を行い、
前記終了処理の後に前記第２のポートを前記所定の論理レベルと異なる論理レベルとして、前記電源供給がオフとされる（６）に記載のヘッドホン。
（８）
前記スイッチが一の状態から他の状態となると、前記第１のポートが前記所定の論理レベルと異なる論理レベルとされた場合に、前記情報処理装置が暴走状態では、
前記第２のポートが前記所定の論理レベルと異なる論理レベルとならないことを検出し、
該検出によって、前記電源供給をオフする（７）に記載のヘッドホン。
【００４８】
「変形例」
以上、本開示の実施形態について具体的に説明したが、上述の各実施形態に限定されるものではなく、本開示の技術的思想に基づく各種の変形が可能である。例えば、各ポートの論理レベル（ローレベルまたはハイレベル）は、一例であって、上述した論理レベルに限定されるものではない。さらに、上述した実施の形態におけるヘッドホンは、電子機器の一例であって、他の電子機器に対しても本開示を適用できる。さらに、サスペンダと連動するスイッチ以外に、マニュアル操作されるスライドスイッチ等を使用しても良い。
【符号の説明】
【００４９】
Ｐ１，Ｐ２，Ｐ１１，Ｐ１２，Ｐ１３・・・ポート
１，１０・・・マイクロコンピュータ
２・・・電池
３・・・スイッチ部
４・・・スイッチ
５・・・制御信号生成部
２０・・・切りキー
３０・・・電源制御回路
４０・・・スイッチング回路
５０・・・キー検出回路
６０・・・電源ＩＣ
７０・・・電源
【図１】
2013080438.tif 000004
【図２】
2013080438.tif 000005
【図３】
2013080438.tif 000006
【図４】
2013080438.tif 000007
【図５】
2013080438.tif 000008
【図６】
2013080438.tif 000009